(57)【要約】【課題】室内機本体を据え付ける据付板の安全性及び取り扱い性を向上させた空気調和機の室内機等を提供すること。【解決手段】送風手段４および熱交換器３を備え、送風手段４により空気を吸い込み熱交換器３で熱交換して吹き出す室内機本体１と、室内の壁面に取付けられ室内機本体１を据え付ける据付板１０とを有する空気調和機の室内機であって、据付板１０が順送プレスにより板金から形成され、据付板１０の順送プレスによる最終切断面１７ｂ、１８ｂが折り返されて切断面折り返し部１７、１８が形成される。そして、この切断面折り返し部１７、１８は密着曲げとする。また、据付板１０の順送プレスによる切断面折り返し部１７、１８は据付板１０の長手方向両端に位置し、両端縁部１５０、１６０より内側に追い込まれている。【選択図】図５
2011080626.tif 000002
【特許請求の範囲】
【請求項１】
送風手段および熱交換器を備え、前記送風手段により空気を吸い込み前記熱交換器で熱交換して吹き出す室内機本体と、室内の壁面に取付けられ前記室内機本体を据え付ける据付板とを有する空気調和機の室内機であって、
前記据付板が順送プレスにより板金から形成され、前記据付板の順送プレスによる最終切断面が折り返されることを特徴とする空気調和機の室内機。
【請求項２】
前記据付板の順送プレスによる最終切断面の折り返しは密着曲げとすることを特徴とする請求項１に記載の空気調和機の室内機。
【請求項３】
前記据付板の順送プレスによる最終切断面の折り返しは前記据付板の外周縁部より内側に追い込まれていることを特徴とする請求項１または２記載の空気調和機の室内機。
【請求項４】
前記据付板の順送プレスによる最終切断面の折り返しは前記据付板の長手方向の両端に位置し、前記両端縁部より内側に追い込まれていることを特徴とする請求項３記載の空気調和機の室内機。
【請求項５】
請求項１〜４のいずれかに記載の室内機を備えたことを特徴とする空気調和機。
【発明の詳細な説明】
【技術分野】
【０００１】
本発明は、空気調和機の室内機およびこれを備えた空気調和機に係り、より詳しくは、据付板をプレスにより製造する際に生じる最終切断面を折り返して安全性を高めた空気調和機の室内機およびこれを備えた空気調和機に関する。
【背景技術】
【０００２】
従来、空気調和機の据付板を単発プレスによって成型する場合、据付板の外周にフランジを形成し、このフランジに折り返しを設けていた（例えば、特許文献１参照）。
しかしながら単発プレスによる加工では、各工程毎に人手によって金型からワークを取り出して移載する作業をおこなわなければならず、そのため、生産効率が低下し、製品単価の上昇を招いてしまう。また、単発プレス材料はスケッチ材であり、順送プレスで使用されるフープ材よりも材料単価が高い。
【０００３】
このため、空気調和機の据付板を順送プレスによって成型することが行われるが、順送プレスでは、生産数量が多い板金部品の生産時に、フープ材料にワークを繋ぎ止めたまま多工程の加工を行っている（例えば、特許文献２参照）。
【先行技術文献】
【特許文献】
【０００４】
【特許文献１】実開昭６３−１２９１３６号公報（第１頁、図２）
【特許文献２】特開平９−１１２９４８号公報（第９頁、図７）
【発明の概要】
【発明が解決しようとする課題】
【０００５】
特許文献２の発明では、板金部品の生産時に順送プレスが使用され、据付板の外周のフランジに折り返しを設けることができるが、ワークの連結部は最終工程で切断されるため据付板に切断面がそのまま残り、切り落しの形状を有する。このため、室内機の据え付け時に切断部により怪我をしたり、切断部に電源コードが接触して傷つきが生じる場合がある。
これら怪我やコードの傷付を防止するために切断面に保護テープを貼り付けるが、これでは据付板の安全性や取り扱い性が充分ではない。
【０００６】
本発明は、上記のような課題を解決するためになされたもので、室内機本体を据え付けるための据付板の安全性及び取り扱い性を向上させた空気調和機の室内機およびこれを備えた空気調和機を提供することを目的とする。
【課題を解決するための手段】
【０００７】
本発明に係る空気調和機の室内機は、送風手段および熱交換器を備え、送風手段により空気を吸い込み前記熱交換器で熱交換して吹き出す室内機本体と、室内の壁面に取付けられ室内機本体を据え付ける据付板とを有する空気調和機の室内機であって、
据付板が順送プレスにより板金から形成され、据付板の順送プレスによる最終切断面が折り返されるようにしたものである。
また、本発明に係る空気調和機は、上記の室内機を備えたものである。
【発明の効果】
【０００８】
空気調和機の室内機の据付板は、製造時に生じる最終切断面に折り返し形状を設けたため、空気調和機の室内機の据付時および運転時における安全性および取り扱い性を向上させることができる。
【図面の簡単な説明】
【０００９】
【図１】本発明の一実施の形態に係る空気調和機の室内機の断面図である。
【図２】図１の空気調和機の室内機を背面側よりみた斜視図である。
【図３】図１の空気調和機の室内機の据付板を本体側からみた斜視図である。
【図４】本発明の一実施の形態に係る据付板順送プレス成型型のレイアウトを示す正面図である。
【図５】図４の据付板順送プレス成型後の据付板単発プレス成型型のレイアウトを示す正面図である。
【図６】図５の最終切断面の折り返し部の近傍を拡大した正面図である。
【発明を実施するための形態】
【００１０】
図１において、空気調和機の室内機の本体（室内機本体）１には熱交換器３と送風機４（送風手段）とが設けられており、これらは本体１の筐体２によって支持されている。熱交換器３と送風機４とは本体１の風路５内に配設されており、風路５の上流側には吸込口６が設けられ、下流側には吹出口７が設けられている。送風機４は吸込口６から空気を風路５内に吸い込み、風路５を通過したのち吹出口７から吹き出す。このとき、風路５内に吸い込まれた空気は熱交換器３によって熱交換されて冷風又は温風となり、吹き出す。なお、本体１の前部には前面パネル８が設けられている。
【００１１】
図２に示すように、空気調和機の室内機の本体１の背面には矩形状の板金からなる据付板１０が設けられており、この据付板１０は、室内の壁面にねじ、釘、ボルトなどで固定されて本体１の筐体２を支えている。据付板１０には本体１側に傾斜した凸部１１が上端の３箇所に設けられており、この凸部１１に、筐体２の上部に設けた係止部９を係止させて（図１参照）、室内機の本体１を壁に固定している。なお、据付板１０の下端部は本体１側に折り曲げられて折曲面１２が形成されており、本体１の内側底面と当接する。
【００１２】
図３に示すように、据付板１０の外周縁部の上下には本体１側に上フランジ１３および下フランジ１４が形成されており、それぞれに内側に向かう折り返し部１３ａ、１４ａが設けられている。また、据付板１０の外周縁部の左右には本体１側に向かう左フランジ１５および右フランジ１６が設けられており、これらのフランジ１５、１６は内側に折り返されて密着曲げされている。なお、左右のフランジ１５、１６は上下方向の中央部付近で非連続となっており、この部分に最終切断面の折り返し部１７、１８（以下、切断面折り返し部という）が設けられている。
【００１３】
この切断面折り返し部１７、１８は順送プレスによって形成された据付板１０の最終切断面１７ｂ、１８ｂ（図４のＦ参照）を内側方向に折り返したものであって、密着曲げによって形成されている。そして、切断面折り返し部１７、１８（切断面折り返し部１７、１８の両端縁部１７０、１８０）は、据付板１０の両端縁部１５０、１６０より内側に追い込まれて形成されている（図５、図６参照）。
【００１４】
上記のように構成した空気調和機の室内機の据付板１０の製造方法を説明する。
据付板１０はプレス型で製作され、図４に示すように、順送プレスによりＡ〜Ｆの工程で加工される。この際、ワーク１０ａは連結部１７ａ、１８ａによりワーク支持部１０ｂに繋ぎ止められたまま搬送され、Ａ工程〜Ｅ工程まで進み、最終工程であるＦ工程でワーク支持部１０ｂから切り離される。
まずＡ工程でワーク１０ａのプレスが開始され、Ｂ工程で左右のフランジとなる部分と連結部１７ａ、１８ａとが形成され、Ｃ工程で左右のフランジとなる部分が折り返され密着曲げされて左右のフランジ１５、１６となる。さらに、Ｄ〜Ｅ工程で、上、下のフランジとなる部分が折り返されて上、下のフランジ１３、１４となり、これらのフランジ１３、１４には折り返し部１３ａ、１４ａが形成される。さらに、Ｆ工程で筐体２の上部を係止する凸部１１等が形成され、さらに連結部１７ａ、１８ａが切断されて最終切断面１７ｂ、１８ｂが形成される。この最終切断面１７ｂ、１８ｂにはバリが発生する。なお、連結部１７ａ、１８ａは、順送プレスのワーク搬送時に倒れることのないように複数設けてもよい。
【００１５】
次に、図５に示すように、単発プレス（Ｇ工程）により、ワーク１０ａの最終切断面１７ｂ、１８ｂが折り返されて密着曲げされ、切断面折り返し部１７、１８が形成される。この切断面折り返し部１７、１８は、図６に示すように、据付板１の左右端の縁部（据付板１０の両端縁部１５０、１６０）より内側に追い込むように折り返す。
【００１６】
本発明によれば、最終切断面１７ｂ、１８ｂは密着曲げされて切断面折り返し部１７、１８を形成し、しかも室内機の据付板１０の両端（両端縁部１５０、１６０）よりも内側に追い込まれているため、据付板１０を扱うときに手が触れにくく、仮に手が触れても安全である。また、電源コードが接触しても電源コードを傷つけることがない。このため、従来のように最終切断面１７ｂ、１８ｂをテープ等により保護する必要がなく、製品の原価低減を図ることができる。
【符号の説明】
【００１７】
１  本体（室内機本体）、２  筐体、３  熱交換器、４  送風機（送風手段）、６  吸込口、７  吹出口、９  本体の係止部、１０  据付板、１０ａ  ワーク、１１  据付板の凸部、１３〜１６  フランジ、１３ａ、１４ａ  フランジの折り返し部、１７、１８  最終切断面の折り返し部（切断面折り返し部）、１７ａ、１８ａ  連結部、１７ｂ、１８ｂ  最終切断面、１５０、１６０  据付板の両端縁部、１７０、１８０  切断面折り返し部の両端縁部、Ａ〜Ｆ  順送プレス工程、Ｇ  単発プレス工程。
【図１】
2011080626.tif 000003
【図２】
2011080626.tif 000004
【図３】
2011080626.tif 000005
【図４】
2011080626.tif 000006
【図５】
2011080626.tif 000007
【図６】
2011080626.tif 000008